【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
電子デバイスの熱管理を行うための方法であって、
前記電子デバイスのデバイス温度に基づいて静的温度知覚値を求めるステップと、
前記デバイス温度の変化率に基づいて動的温度知覚値を求めるステップと、
前記静的温度知覚値と前記動的温度知覚値との組合せに基づいた複合温度知覚値を求めるステップと、
前記複合温度知覚値に基づいて、複数の不快レベルからのある不快レベルを前記電子デバイスに関連付けるステップであって、前記不快レベルは前記電子デバイスの処理ユニットの最大許容アクティビティを指定する、ステップと、
前記複合温度知覚値と少なくとも1つの前記不快レベルとに基づいて前記処理ユニットを制御するステップと、
を含む、方法。
【請求項２】
前記複合温度知覚値は、静的知覚モデルおよび動的知覚モデルを含む調整可能な知覚モデルに基づく、請求項1に記載の方法。
【請求項３】
前記調整可能な知覚モデルは、少なくとも1つの熱係数定数に基づく、請求項2に記載の方法。
【請求項４】
少なくとも1つの熱係数定数は調整可能であり、前記調整可能な熱係数定数は、調整可能な不快レベルのための温度値範囲を指定する、請求項3に記載の方法。
【請求項５】
前記調整可能な不快レベルのための前記温度値範囲は最大温度を含み、前記最大温度は、少なくとも知覚値、規制制限および/または製造者制限のうちの1つの最小値に基づく、請求項4に記載の方法。
【請求項６】
前記処理ユニットを制御するステップは、
前記処理ユニットのアクティビティが、前記処理ユニットの前記最大許容アクティビティを満たしているか否かを判断するステップと、
前記アクティビティが前記処理ユニットの前記最大許容アクティビティを満たしているかどうかに基づいて、前記処理ユニットの前記アクティビティを変更するステップと、
をさらに含む、請求項1に記載の方法。
【請求項７】
前記処理ユニットが感知可能なデバイス温度と実際のデバイス温度との差を低減するように制御される、請求項1に記載の方法。
【請求項８】
前記処理ユニットを制御するステップは、
前記感知可能なデバイス温度が前記実際のデバイス温度より大きくなると予測される期間を求めるステップと、
前記期間を低減するように前記処理ユニットを制御するステップと、
をさらに含む、請求項7に記載の方法。
【請求項９】
前記処理ユニットが前記期間を最小化するように制御される、請求項8に記載の方法。
【請求項１０】
前記不快レベルは、前記電子デバイスの外面が前記電子デバイスのユーザにとってどの程度熱的に不快であるかを指定する、請求項1に記載の方法。
【請求項１１】
前記複数の不快レベルからの各不快レベルは、複合温度知覚値の特定の範囲に関連付けられる、請求項1に記載の方法。
【請求項１２】
前記デバイス温度は、前記電子デバイスの外面部分の温度であり、前記電子デバイスの前記温度変化率は、前記電子デバイスの前記外面部分の温度変化率である、請求項1に記載の方法。
【請求項１３】
前記処理ユニットの処理ユニット温度に基づいて前記デバイス温度を推定するステップをさらに含む、請求項1に記載の方法。
【請求項１４】
前記電子デバイスは、音楽プレーヤ、ビデオプレーヤ、娯楽ユニット、ナビゲーションデバイス、通信デバイス、携帯デバイス、携帯電話、スマートフォン、携帯情報端末、位置固定端末、タブレットコンピュータ、ラップトップコンピュータ、眼鏡、腕時計および/または装着可能デバイスのうちの少なくとも1つに組み込まれる、請求項1に記載の方法。
【請求項１５】
電子デバイスの熱管理を行うように構成される装置であって、
前記電子デバイスのデバイス温度に基づいて静的温度知覚値を求めるための手段と、
前記デバイス温度の変化率に基づいて動的温度知覚値を求めるための手段と、
前記静的温度知覚値と前記動的温度知覚値との組合せに基づいた複合温度知覚値を求めるための手段と、
前記複合温度知覚値に基づいて、複数の不快レベルからのある不快レベルを前記電子デバイスに関連付けるための手段であって、前記不快レベルは前記電子デバイスの処理ユニットの最大許容アクティビティを指定する、手段と、
前記複合温度知覚値と少なくとも1つの前記不快レベルとに基づいて前記処理ユニットを制御するための手段と、
を備える、装置。
【請求項１６】
前記複合温度知覚値は、静的知覚モデルおよび動的知覚モデルを含む調整可能な知覚モデルに基づく、請求項15に記載の装置。
【請求項１７】
前記調整可能な知覚モデルは、少なくとも1つの熱係数定数に基づく、請求項16に記載の装置。
【請求項１８】
少なくとも1つの熱係数定数は調整可能であり、前記調整可能な熱係数定数は、調整可能な不快レベルのための温度値範囲を指定する、請求項17に記載の装置。
【請求項１９】
前記調整可能な不快レベルのための前記温度値範囲は最大温度を含み、前記最大温度は、少なくとも知覚値、規制制限および/または製造者制限のうちの1つの最小値に基づく、請求項18に記載の装置。
【請求項２０】
前記デバイス温度は、前記電子デバイスの外面部分の温度であり、前記電子デバイスの前記温度変化率は、前記電子デバイスの前記外面部分の温度変化率である、請求項15に記載の装置。
【請求項２１】
音楽プレーヤ、ビデオプレーヤ、娯楽ユニット、ナビゲーションデバイス、通信デバイス、携帯デバイス、携帯電話、スマートフォン、携帯情報端末、位置固定端末、タブレットコンピュータ、ラップトップコンピュータ、眼鏡、腕時計および/または装着可能デバイスのうちの少なくとも1つに組み込まれる、請求項15に記載の装置。
【請求項２２】
電子デバイスの熱管理を行うための1つまたは複数の命令を含むコンピュータ可読記憶媒体であって、前記1つまたは複数の命令は、少なくとも1つのプロセッサによって実行されると、前記少なくとも1つのプロセッサに、
前記電子デバイスのデバイス温度に基づいて静的温度知覚値を求めさせ、
前記デバイス温度の変化率に基づいて動的温度知覚値を求めさせ、
前記静的温度知覚値と前記動的温度知覚値との組合せに基づいた複合温度知覚値を求めさせ、
前記複合温度知覚値に基づいて、複数の不快レベルからのある不快レベルを前記電子デバイスに関連付けさせ、
前記複合温度知覚値と少なくとも1つの前記不快レベルとに基づいて処理ユニットを制御させ、
前記不快レベルは前記電子デバイスの前記処理ユニットの最大許容アクティビティを指定する、
コンピュータ可読記憶媒体。
【請求項２３】
前記複合温度知覚値は、静的知覚モデルおよび動的知覚モデルを含む調整可能な知覚モデルに基づく、請求項22に記載のコンピュータ可読記憶媒体。
【請求項２４】
前記調整可能な知覚モデルは、少なくとも1つの熱係数定数に基づく、請求項23に記載のコンピュータ可読記憶媒体。
【請求項２５】
少なくとも1つの熱係数定数は調整可能であり、前記調整可能な熱係数定数は、調整可能な不快レベルのための温度値範囲を指定する、請求項24に記載のコンピュータ可読記憶媒体。
【請求項２６】
前記調整可能な不快レベルのための前記温度値範囲は最大温度を含み、前記最大温度は、少なくとも知覚値、規制制限および/または製造者制限のうちの1つの最小値に基づく、請求項25に記載のコンピュータ可読記憶媒体。
【請求項２７】
前記少なくとも1つのプロセッサによって実行されると、前記少なくとも1つのプロセッサに、
前記処理ユニットのアクティビティが、前記処理ユニットの前記最大許容アクティビティを満たしているか否かを判断させ、
前記アクティビティが前記処理ユニットの前記最大許容アクティビティを満たしているかどうかに基づいて、前記処理ユニットの前記アクティビティを変更させる、
1つまたは複数の命令をさらに含む、請求項22に記載のコンピュータ可読記憶媒体。
【請求項２８】
前記少なくとも1つのプロセッサによって実行されると、前記少なくとも1つのプロセッサに、感知可能なデバイス温度と実際のデバイス温度との差を低減させる1つまたは複数の命令を含む、請求項22に記載のコンピュータ可読記憶媒体。
【請求項２９】
前記少なくとも1つのプロセッサによって実行されると、前記少なくとも1つのプロセッサに、
前記感知可能なデバイス温度が前記実際のデバイス温度より大きくなると予測される期間を求めさせ、
前記期間を低減するように前記処理ユニットを制御させる、
1つまたは複数の命令をさらに含む、請求項28に記載のコンピュータ可読記憶媒体。
【請求項３０】
前記少なくとも1つのプロセッサによって実行されると、前記少なくとも1つのプロセッサに、前記期間を最小化させる1つまたは複数の命令を含む、請求項29に記載のコンピュータ可読記憶媒体。
【請求項３１】
前記デバイス温度は、前記電子デバイスの外面部分の温度であり、前記電子デバイスの前記温度変化率は、前記電子デバイスの前記外面部分の温度変化率である、請求項22に記載のコンピュータ可読記憶媒体。
【請求項３２】
前記処理ユニットの処理ユニット温度に基づいて前記デバイス温度を推定するように前記少なくとも1つのプロセッサを制御するための命令をさらに含む、請求項22に記載のコンピュータ可読記憶媒体。
【請求項３３】
音楽プレーヤ、ビデオプレーヤ、娯楽ユニット、ナビゲーションデバイス、通信デバイス、携帯デバイス、携帯電話、スマートフォン、携帯情報端末、位置固定端末、タブレットコンピュータ、ラップトップコンピュータ、眼鏡、腕時計および/または装着可能デバイスのうちの少なくとも1つに組み込まれる、請求項22に記載のコンピュータ可読記憶媒体。
【請求項３４】
電子デバイスであって、
1つまたは複数の命令を記憶するように構成されるメモリと、
少なくとも1つの処理回路であって、
前記電子デバイスのデバイス温度に基づいて静的温度知覚値を求め、
前記デバイス温度の変化率に基づいて動的温度知覚値を求め、
前記静的温度知覚値と前記動的温度知覚値との組合せに基づいた複合温度知覚値を求め、
前記複合温度知覚値に基づいて、複数の不快レベルからのある不快レベルを前記電子デバイスに関連付け、
前記複合温度知覚値と少なくとも1つの前記不快レベルとに基づいて処理回路の少なくとも1つの処理ユニットを制御するように構成され、
前記不快レベルは前記電子デバイスの前記処理回路の最大許容アクティビティを指定する、少なくとも1つの処理回路と、
を備える、電子デバイス。
【請求項３５】
前記複合温度知覚値は、静的知覚モデルおよび動的知覚モデルを含む調整可能な知覚モデルに基づく、請求項34に記載の電子デバイス。
【請求項３６】
前記調整可能な知覚モデルは、少なくとも1つの熱係数定数に基づく、請求項35に記載の電子デバイス。
【請求項３７】
少なくとも1つの熱係数定数は調整可能であり、前記調整可能な熱係数定数は、調整可能な不快レベルのための温度値範囲を指定する、請求項36に記載の電子デバイス。
【請求項３８】
前記調整可能な不快レベルのための前記温度値範囲は最大温度を含み、前記最大温度は、少なくとも知覚値、規制制限および/または製造者制限のうちの1つの最小値に基づく、請求項37に記載の電子デバイス。
【請求項３９】
前記少なくとも1つの処理回路は、
前記処理回路のアクティビティが、前記処理回路の前記最大許容アクティビティを満たしているか否かを判断し、
前記アクティビティが前記処理回路の前記最大許容アクティビティを満たしているかどうかに基づいて、前記処理回路の前記アクティビティを変更する、
ようにさらに構成される、請求項34に記載の電子デバイス。
【請求項４０】
前記処理ユニットが感知可能なデバイス温度と実際のデバイス温度との差を低減するように制御される、請求項34に記載の電子デバイス。
【請求項４１】
前記少なくとも1つの処理回路は、
前記感知可能なデバイス温度が前記実際のデバイス温度より大きくなると予測される期間を求め、
前記期間を低減するように前記処理ユニットを制御する、
ようにさらに構成される、請求項40に記載の電子デバイス。
【請求項４２】
前記処理ユニットが前記期間を最小化するように制御される、請求項41に記載の電子デバイス。
【請求項４３】
前記デバイス温度は、前記電子デバイスの外面部分の温度であり、前記電子デバイスの前記温度変化率は、前記電子デバイスの前記外面部分の温度変化率である、請求項39に記載の電子デバイス。
【請求項４４】
前記少なくとも1つの処理回路は、前記処理回路の処理回路温度に基づいて前記デバイス温度を推定するようにさらに構成される、請求項34に記載の電子デバイス。
【請求項４５】
前記処理回路は、少なくとも中央処理装置(CPU)および/またはグラフィック処理ユニット(GPU)のうちの一方である、請求項34に記載の電子デバイス。
【請求項４６】
前記電子デバイスは、音楽プレーヤ、ビデオプレーヤ、娯楽ユニット、ナビゲーションデバイス、通信デバイス、携帯デバイス、携帯電話、スマートフォン、携帯情報端末、位置固定端末、タブレットコンピュータ、ラップトップコンピュータ、眼鏡、腕時計および/または装着可能デバイスのうちの少なくとも1つである、請求項34に記載の電子デバイス。
【請求項４７】
前記感知可能なデバイス温度と前記実際のデバイス温度との差が前記デバイス温度の変化率に起因して生じる、請求項7に記載の方法。
【請求項４８】
前記感知可能なデバイス温度と前記実際のデバイス温度との差が前記デバイス温度の変化率に起因して生じる、請求項28に記載のコンピュータ可読記憶媒体。
【請求項４９】
前記感知可能なデバイス温度と前記実際のデバイス温度との差が前記デバイス温度の変化率に起因して生じる、請求項40に記載のデバイス。
【請求項５０】
前記デバイス温度の変化率の増大が、前記デバイス温度の対応する増大に起因する他の上昇より大きな前記複合温度知覚値の増大をもたらす、請求項1に記載の方法。
【請求項５１】
前記デバイス温度の変化率の増大が、前記デバイス温度の対応する増大に起因する他の上昇より大きな前記複合温度知覚値の増大をもたらす、請求項15に記載の装置。
【請求項５２】
前記デバイス温度の変化率の増大が、前記デバイス温度の対応する増大に起因する他の上昇より大きな前記複合温度知覚値の増大をもたらす、請求項22に記載のコンピュータ可読記憶媒体。
【請求項５３】
前記デバイス温度の変化率の増大が、前記デバイス温度の対応する増大に起因する他の上昇より大きな前記複合温度知覚値の増大をもたらす、請求項34に記載のデバイス。
【請求項５４】
前記複合温度知覚値と少なくとも1つの前記不快レベルとに基づいて前記処理ユニットを制御するステップは、ユーザの年齢、ユーザの職業、ユーザの性別、および/またはユーザの地理的領域のうちの1つまたは複数をさらに利用する、請求項1に記載の方法。